(57)【要約】【課題】  生物に眩しさを感じさせずに良質なカラー画像を取得可能な、撮影用照明装置を提供する。【解決手段】  視覚の発光感知に要する最低時間幅に近接した発光時間を有する発光手段と、該発光手段により生じる視覚残像の蓄積を防止するためのインターバル時間発生手段を有し、該インターバル時間を介して必要とされる光量が得られるまで、発光を繰り返すよう構成して実現した。【選択図】図２
2014063113.tif 000002
【特許請求の範囲】
【請求項１】
視覚の発光感知に要する最低時間幅に近接した発光時間を有する発光手段と、該発光手段により生じる視覚残像の蓄積を防止するためのインターバル時間発生手段を有し、該インターバル時間を介して必要とされる光量が得られるまで発光を繰り返すよう構成された撮影用照明装置。
【請求項２】
前記発光手段の光源として色調の異なる複数の光源、例えば赤色、緑色、青色の３色を具備し、前記インターバル時間を介して順次発光せしめ、必要とされる光量が得られるまで発光を繰り返すよう構成された請求項１記載の撮影用照明装置。
【請求項３】
前記発光手段の光源として色調の異なる複数の光源、例えば赤色、緑色、青色と、該光源の補色となる光源、例えば緑色、赤色、橙色を発光する手段を具備し、各々が互いに補色の関係を維持する順に、例えば赤色−緑色−橙色−青色−赤色−緑色・・・の順に前記インターバル時間を介して順次発光せしめ、必要とされる光量が得られるまで発光を繰り返すよう構成された請求項１記載の撮影用照明装置。
【発明の詳細な説明】
【技術分野】
【０００１】  本発明は、生物の視覚に感知されにくいことを特徴とする撮影用照明装置に関する。
【背景技術】
【０００２】  従来から、夜間撮影時や白昼撮影時の補助光として、キセノンランプや発光ダイオードを光源とするエレクトロニックフラッシュ（以下単にフラッシュと記す）が製品化され、利用されている。【０００３】  これらの製品の発光時間はおおよそ１００μＳから５ｍＳで、フラッシュまたはカメラ内部の光量検知手段により最適な発光時間が得られるように構成されている。（例えば非特許文献１）【０００４】  また生物の視覚に感知されにくい、赤外線や紫外線を光源としたフラッシュの研究も行われているが、良質なカラー画像が得られない欠点が存在する。（例えば非特許文献２）
【先行技術文献】
【非特許文献】
【０００５】
【非特許文献１】  ＳＵＮＰＡＫ：サンパックＷＥＢページ
【非特許文献２】  紫外線写真及び赤外線写真−Ｗｉｋｉｐｅｄｉａ
【発明の概要】
【発明が解決しようとする課題】
【０００６】  以上に記した従来の撮影用照明装置では、眩しさでその場の雰囲気を害してしまう欠点を有し、また眩しさを抑制した方法では、良質なカラー画像が得られないといった問題が存在した。【０００７】  本発明は、このような従来の撮影用照明装置が有していた問題を解決しようとするものであり、生物に眩しさを感じさせずに良質なカラー画像を取得可能な、撮影用照明装置を提供することを目的とする。
【課題を解決するための手段】
【０００８】  本発明は、上記目的を達成するために、視覚の発光感知に要する最低時間幅に近接した発光時間を有する発光手段と、該発光手段により生じる視覚残像の蓄積を防止するためのインターバル時間発生手段を有し、該インターバル時間を介して必要とされる光量が得られるまで、発光を繰り返すよう構成して実現した。
【発明の効果】
【０００９】  本発明によれば上記した構成により、生物の視覚に感知されにくく、かつ鮮明なカラー画像が得られる撮影用照明装置を提供することが可能となる。
【図面の簡単な説明】
【００１０】
【図１】  本発明の実施例を示す電気的結線図である。（実施例１、２、３及び４）
【図２】  本発明の実施例を示すタイムチャート図である。（実施例１）
【図３】  本発明の実施例を示すタイムチャート図である。（実施例２）
【図４】  本発明の実施例を示すタイムチャート図である。（実施例３）
【図５】  本発明の実施例を示すタイムチャート図である。（実施例４）
【図６】  本発明の実施例を示す概略外観図である。（実施例１、２、３及び４）
【発明を実施するための形態】
【００１１】  視覚の発光感知に要する最低時間幅に近接した発光時間を有する発光手段と、該発光手段により生じる視覚残像の蓄積を防止するためのインターバル時間発生手段を有し、該インターバル時間を介して必要とされる光量が得られるまで発光を繰り返すよう構成し、生物の視覚に感知されにくく、かつ鮮明なカラー画像が得られる撮影用照明装置を実現した。
【実施例１】
【００１２】  図１は、本発明の一実施例を示す電気的結線図であって、マイコンＱ１により全ての動作がコントロールされている。【００１３】  端子Ａ１はマイコンＱ１内部でプルアップされた入力端子で、カメラ本体のＸ接点Ｘ１が接続され、ＡＤ入力端子Ａ２には光量検知用のホトダイオードＰＤが接続されている。また端子Ａ３はマイコンＱ１内部でプルアップされた入力端子で、色調微調整用の可変抵抗器ＶＲが接続されている。【００１４】  端子Ｏ１、Ｏ２、Ｏ３及びＯ４は各々赤色、緑色、青色及び橙色発光ダイオード駆動用の出力端子で、各々電流増強用のトランジスターＴ１、Ｔ２、Ｔ３及びＴ４を介して３色発光ダイオードＤ３１及びＤ３２の赤色Ｒ、緑色Ｇ、青色Ｂの個別チップ及び橙色発光ダイオードＤ３３を駆動可能としている。【００１５】  端子Ｃ１及びＣ２は外部インターフェース用の端子で、端子Ｃ１にはカメラ本体のシャッター情報が、端子Ｃ２にはカメラ本体の光量情報及びその他の情報の入出力が可能となっており、カメラ本体も含めた制御も可能な構造となっている。【００１６】  ＲＧ１及びＲＧ２は電流制限用の抵抗器である。また実施例１では出力端子Ｏ４及び後続のトランジスターＴ４、橙色発光ダイオードＤ３３及び抵抗器ＲＧ２は不要である。【００１７】  図２は実施例１のタイムチャート図で、シャッター情報Ａ１またはＣ１に同期して出力端子Ｏ１、Ｏ２及びＯ３が立ち上がり、後続の３色発光ダイオードＤ３１及びＤ３２の赤色Ｒ、緑色Ｇ及び青色Ｂの個別チップが、視覚残像の蓄積を防止するためのインターバル時間を介し、繰り返し間欠的に駆動、発光していることを表示している。【００１８】  ３色発光ダイオードＤ３１及びＤ３２の赤色Ｒ、緑色Ｇ及び青色Ｂの個別チップの通電時間が微妙に異なるのは、被写体の環境条件により最適な光源色調を調節しているためで、基本的には太陽光と同一の白色光を発光するが、図１に示す端子Ａ３に接続された可変抵抗器ＶＲの値により、暖色系、寒色系の大略的な色調補正が可能となっている。【００１９】  フォトダイオードＰＤまたはカメラ本体の光量検知手段により、光量が必要とされる量に達したと判断されたときは、マイコンＱ１内部にリセット信号が発生し、これに同期して出力端子Ｏ１、Ｏ２及びＯ３の出力は停止され、後続の３色発光ダイオードＤ３１及びＤ３２の赤色Ｒ、緑色Ｇ及び青色Ｂの個別チップの発光も停止される。
【実施例２】
【００２０】  図３は実施例２のタイムチャート図で、前記実施例１では３色発光ダイオードＤ３１及びＤ３２の赤色Ｒ、緑色Ｇ及び青色Ｂの個別チップが同時に発光しているのに対し、本実施例２では視覚残像の蓄積を防止するためのインターバル時間を介し、赤色Ｒ、緑色Ｇ、青色Ｂ、赤色Ｒ・・・の順に順次間欠発光を繰り返し実行する状態を表示している。【００２１】  赤色Ｒ、緑色Ｇ及び青色Ｂの個別チップを同時発光させずに順次間欠発光にした理由は、より視覚に感知されないよう配慮した結果で、他の動作は前記実施例１で説明した内容と同一である。また前記実施例１と同様に実施例２では図１記載の出力端子Ｏ４及び後続のトランジスターＴ４、ベージュ色発光ダイオードＤ３３及び抵抗器ＲＧ２は不要である。
【実施例３】
【００２２】  図４は実施例３のタイムチャート図で、前記実施例２の順次間欠発光にさらに改善を加えたもので、直前に発光した次に発光する光源の色調を、直前に発光した光源の色調の補色となる色調であるように構成したものである。【００２３】  具体的にはシャッター情報Ａ１またはＣ１に同期して出力端子Ｏ１が立ち上がり、３色発光ダイオードＤ３１及びＤ３２の赤色Ｒチップが短時間発光する。【００２４】  視覚残像の蓄積を防止するためのインターバル時間を介し、出力端子Ｏ２が立ち上がり、赤色Ｒチップの発光色と補色関係にある３色発光ダイオードＤ３１及びＤ３２の緑色Ｇチップが短時間発光する。【００２５】  視覚残像の蓄積を防止するためのインターバル時間を介し、出力端子Ｏ４が立ち上がり、緑色Ｒチップの発光色と補色関係にある橙色発光ダイオードＤ３３が短時間発光する。【００２６】  視覚残像の蓄積を防止するためのインターバル時間を介し、出力端子Ｏ３が立ち上がり、橙色発光ダイオードＤ３３の発光色と補色関係にある３色発光ダイオードＤ３１及びＤ３２の青色Ｂチップが短時間発光する。【００２７】  視覚残像の蓄積を防止するためのインターバル時間を介し、再び出力端子Ｏ１が立ち上がり、青色Ｂチップの発光色と補色関係にある３色発光ダイオードＤ３１及びＤ３２の赤色Ｒチップが短時間発光する。・・・以後光量が必要とされる量に達し、マイコンＱ１内部にリセット信号が発生し、この状態がリッセットされるまでこの状態を繰り返し実行する。
【実施例４】
【００２８】  前記実施例３の説明において、簡単にするために単色の発光ダイオードの組み合わせで説明を行ったが、赤色Ｒ、緑色Ｇ及び青色Ｂの発光ダイオードを用いれば、光の３原色の定理で、各々の発光量を調節・混合することにより、あらゆる色調を発光させることが可能である。色調の調節は前記各発光ダイオードの通電時間制御により簡単に実現できる。【００２９】  図５は実施例４のタイムチャート図で、シャッター情報Ａ１またはＣ１に同期して出力端子Ｏ１が立ち上がり、３色発光ダイオードＤ３１及びＤ３２の赤色Ｒチップが短時間発光する。【００３０】  視覚残像の蓄積を防止するためのインターバル時間を介し、出力端子Ｏ２が立ち上がり、赤色Ｒチップの発光色と補色関係にある３色発光ダイオードＤ３１及びＤ３２の緑色Ｇチップが短時間発光する。【００３１】  視覚残像の蓄積を防止するためのインターバル時間を介し、緑色Ｇチップの発光色と補色関係にある橙色を再現するべく、出力端子Ｏ１、Ｏ２及びＯ３が立ち上がり、３色発光ダイオードＤ３１及びＤ３２の赤色Ｒ、緑色Ｇ及び青色Ｂの個別チップに時間制御された電流が供給され、橙色に調合された光が短時間発光する。【００３２】  視覚残像の蓄積を防止するためのインターバル時間を介し、出力端子Ｏ３が立ち上がり、橙色と補色関係にある３色発光ダイオードＤ３１及びＤ３２の青色Ｂチップが短時間発光する。【００３３】    再び出力端子Ｏ１が立ち上がり、青色Ｂチップの発光色と補色関係にある３色発光ダイオードＤ３１及びＤ３２の赤色Ｒチップが短時間発光する。・・・以後光量が必要とされる量に達し、マイコンＱ１内部にリセット信号が発生し、この状態がリッセットされるまでこの状態を繰り返し実行する。【００３４】  図面が複雑になるので光の３原色合成による色調を橙色だけにして説明したが、原色及び補色併せて２０種類程度の色調を確保すれば、より性能向上に寄与する。【００３５】  なお、本実施例では図１記載の出力端子Ｏ４及び後続のトランジスターＴ４、ベージュ色発光ダイオードＤ３３及び抵抗器ＲＧ２は不要である。【００３６】  図６は本発明の実施例を示す外観図であるが、フラッシュＦＬはカメラＣＭのアクセサリーシューＡＣに固定され、シャッター情報はカメラＣＭのＸ接点端子に接続されたケーブルＷによりフラッシュＦＬに提供される。【００３７】  またアクセサリーシューＡＣに設けられたインターフェース接点により、カメラＣＭ内部のシャッター情報や光量情報及びその他の情報を得ることが可能となっている。【００３８】  フラッシュＦＬの前面には３色発光ダイオードＤ３１及びＤ３２と光量検知用のフォトダイオードＰＤが配設されている。【００３９】  以上説明のとおり、本発明によれば生物の視覚に感知されにくく、かつ鮮明なカラー画像が得られる撮影用照明装置を提供することが可能となる。
【産業上の利用可能性】
【００４０】  生物の視覚に感知されにくく、かつ鮮明なカラー画像が得られるので、動物の生態観測やセキュリティー装置の一部としても適用できる。
【符号の説明】
【００４１】  Ｑ１  マイコン      Ｘ１  Ｘ接点スイッチ    ＰＤ  フォトダイオード
Ｄ３１、Ｄ３２  ３色発光ダイオード          Ｄ３３  橙色発光ダイオード
Ｒ  赤色発光ダイオード    Ｇ  緑色発光ダイオード    Ｂ  青色発光ダイオード
ＶＲ  色調調節器    ＦＬ  フラッシュ    ＡＣ  アクセサリーシュー
ＣＭ  カメラ          Ｗ  接続ケーブル
【図１】
2014063113.tif 000003
【図２】
2014063113.tif 000004
【図３】
2014063113.tif 000005
【図４】
2014063113.tif 000006
【図５】
2014063113.tif 000007
【図６】
2014063113.tif 000008